(57)【特許請求の範囲】
【請求項１】
装置であって、
サブピクセル群のアレイを含むディスプレイと、
前記ディスプレイに作動的に結合され、かつ表示データを受信して該表示データを前記サブピクセル群の前記アレイを駆動するための制御信号に変換するように構成された制御論理部と、
を含み、
前記サブピクセル群の各々が、第１色に１つのサブピクセル、第２色に２つのサブピクセル、及び第３色に２つのサブピクセルから構成され、
前記アレイの各列内のサブピクセル群が、繰り返され、
前記アレイの各列内のサブピクセル群が、該アレイの隣接する列内のサブピクセル群に対して互い違いにされ、
前記サブピクセル群の各々において、
前記第２色における前記２つのサブピクセルは、垂直方向に沿って前記第１色における前記サブピクセルの同じ側にあり、
前記第３色における前記２つのサブピクセルは、水平方向に沿って前記第１色における前記サブピクセルの異なる側にある、
ことを特徴とする装置。
【請求項２】
前記サブピクセル群の各々において、前記第１色における前記サブピクセルのサイズが、前記第２色における前記２つのサブピクセル及び前記第３色における前記２つのサブピクセルのうちのいずれのもののサイズよりも大きいことを特徴とする請求項１に記載の装置。
【請求項３】
前記サブピクセル群の各々において、
前記第２色における前記２つのサブピクセルは、水平方向に沿って前記第１色における前記サブピクセルの異なる側にあり、
前記第３色における前記２つのサブピクセルは、前記水平方向に沿って前記第１色における前記サブピクセルの異なる側にある、
ことを特徴とする請求項１に記載の装置。
【請求項４】
前記サブピクセル群の各々が、２つのピクセルに分割され、そのために該２つのピクセルの各々が、前記第２色における前記２つのサブピクセルのうちの一方と前記第３色における前記２つのサブピクセルのうちの一方とを含み、かつそのために前記第１色における前記サブピクセルは、該２つのピクセルによって共有されることを特徴とする請求項３に記載の装置。
【請求項５】
前記制御論理部は、前記第１色における各サブピクセルに対して、該第１色における該サブピクセルを共有する前記２つのピクセルを表示するための表示データの２つの部分に基づいてそれぞれの制御信号を提供するように更に構成されることを特徴とする請求項４に記載の装置。
【請求項６】
前記サブピクセル群の各々において、前記第２色における前記２つのサブピクセルの各々が、垂直方向に沿って前記第３色における前記２つのサブピクセルのうちのそれぞれの１つと位置合わせされることを特徴とする請求項１に記載の装置。
【請求項７】
前記サブピクセル群の各々において、
前記第２色における前記２つのサブピクセルは、同じ形状及びサイズを有し、水平方向に沿って位置合わせされ、かつ
前記第３色における前記２つのサブピクセルは、同じ形状及びサイズを有し、前記水平方向に沿って位置合わせされる、
ことを特徴とする請求項１に記載の装置。
【請求項８】
前記アレイの各列内の前記サブピクセル群は、該アレイの隣接する列内の該サブピクセル群に対してサブピクセル群の幅の半分だけ互い違いにされることを特徴とする請求項１に記載の装置。
【請求項９】
それぞれのサブピクセルは有機発光ダイオード（ＯＬＥＤ）に対応し、
前記サブピクセル群の各々に対して、
前記第２色における前記２つのＯＬＥＤの各々が、前記アレイの同じ列内の隣接するサブピクセル群内の該第２色におけるそれぞれのＯＬＥＤと同じ有機発光層を共有し、
前記第３色における前記２つのＯＬＥＤの各々が、前記アレイの同じ列内の隣接するサブピクセル群内の該第３色におけるそれぞれのＯＬＥＤと同じ有機発光層を共有する、
ことを特徴とする請求項１に記載の装置。
【請求項１０】
前記アレイの同じ列内の前記第２色における全てのＯＬＥＤが、同じ有機発光層を共有することを特徴とする請求項９に記載の装置。
【請求項１１】
少なくとも１つのプロセッサを有する機械上で実施されるディスプレイ上のサブピクセルレンダリングの方法であって、
表示データの各部分がそれぞれ第１、第２、及び第３色を表す第１、第２、及び第３成分を含む複数のピクセルを表示するための表示データの複数部分を受信する段階と、
前記表示データの複数部分に基づいて前記ディスプレイ上でサブピクセル群のアレイをレンダリングするための制御信号を提供する段階と、
を含み、
前記サブピクセル群の各々が、前記第１色に１つのサブピクセル、前記第２色に２つのサブピクセル、及び前記第３色に２つのサブピクセルから構成され、
前記アレイの各列内のサブピクセル群が、繰り返され、
前記アレイの各列内のサブピクセル群が、該アレイの隣接する列内のサブピクセル群に対して互い違いにされ、
前記サブピクセル群の各々が、２つのピクセルに分割され、そのために該２つのピクセルの各々が、前記第２色における前記２つのサブピクセルのうちの一方と前記第３色における前記２つのサブピクセルのうちの一方とを含み、かつそのために前記第１色における前記サブピクセルは、該２つのピクセルによって共有され、
制御信号を提供する段階は、前記第１色における各サブピクセルに対して、該第１色における該サブピクセルを共有する前記２つのピクセルを表示するための表示データの２つの部分の第１成分に基づいてそれぞれの制御信号を提供する段階を含み、
それぞれの制御信号を提供する段階は、表示データの前記２つの部分の前記第１成分の加重平均を計算する段階を含む
ことを特徴とする方法。
【請求項１２】
表示データの前記２つの部分の前記第１成分の各々に対する重みが、１／２に等しいことを特徴とする請求項１１に記載の方法。
【発明の詳細な説明】
【技術分野】
【０００１】
本発明の開示は、一般的にディスプレイに関し、より詳細には、ディスプレイのサブピクセル配置及びそれをレンダリングする方法に関する。
【背景技術】
【０００２】
ディスプレイは、一般的に、表示可能な各次元内の個別ピクセルの絶対数（例えば、１９２０ｘ１０８０）である表示解像度により、又はインチ当たりのピクセルの相対数に関する表示密度（別名、インチ当たりのピクセル−ＰＰＩ）によって特徴付けられる。多くのディスプレイは、様々な理由から、同じ部位では異なるカラーチャネルを表示することができない。従って、ピクセルグリッドは、距離を置いて見た時に表示される色に寄与する単色部分に分割される。液晶ディスプレイ（ＬＣＤ）、有機発光ダイオード（ＯＬＥＤ）ディスプレイ、電気泳動インク（Ｅインク）ディスプレイ、電子発光ディスプレイ（ＥＬＤ）、又は発光ダイオード（ＬＥＤ）ランプディスプレイのような一部のディスプレイでは、これらの単色部分は、個別にアドレス可能な要素であり、サブピクセルとして公知である。
【０００３】
様々なサブピクセル配置（レイアウト、スキーム）は、ディスプレイの表示密度を増加させることによってかつより詳細なアンチエイリアシングテキストによって表示品質を改善するために、サブピクセルレンダリングアルゴリズムの専有セットを用いて作動するように提案されている。例えば、ＬＣＤは、各ピクセルが輝度及びフルカラーを提示することができるように、典型的に、各ピクセルを３つのストリップサブピクセル（例えば、赤色、緑色、及び青色サブピクセル）又は４つの方形サブピクセル（例えば、赤色、緑色、青色、及び白色のサブピクセル）に分割する。ＬＣＤと比べると、ＯＬＥＤの有機発光層は、微細金属マスク（ＦＭＭ）を用いた蒸着技術によって製作されるので、個々のサブピクセルのサイズを縮小することによってＯＬＥＤディスプレイの表示密度を増加させることはいっそう困難である。ＦＭＭを用いて有機材料をパターン化することに関する加工精度に起因して、各有機発光層の最小サイズは制限される。このような制限を克服するために、サブピクセルレンダリングアルゴリズムを用いた様々なサブピクセル配置が、ＯＬＥＤディスプレイの表示密度を増加させるために適用されている。
【０００４】
図２６に示す「ダイヤモンド」ピクセルアレイ２６００を有するＯＬＥＤディスプレイでは、緑色サブピクセルＧは、単一線において繰り返されているが、赤色サブピクセルＲ及び青色サブピクセルＢは、より大きくかつ緑色サブピクセルの線の間で交替している。サブピクセルアレイ２６００は、様々なピクセルに分割され、その各々は、１つの赤色サブピクセル及び２つの半緑色サブピクセル（ピクセル２６０２）で構成され、又は１つの青色サブピクセル及び２つの半緑色サブピクセル（ピクセル２６０４）で構成される。明らかに、この例では、緑色サブピクセルの数だけが、ディスプレイ上のピクセル数と同じであり、一方、赤色又は青色サブピクセル数は、ディスプレイにおけるピクセル数の半分に過ぎない。すなわち、赤色又は青色サブピクセルの実際の色解像度は、表示解像度の半分に過ぎない。
【発明の概要】
【発明が解決しようとする課題】
【０００５】
従って、上述の問題を克服するためにディスプレイの改良サブピクセル配置及びそれをレンダリングする方法に対する必要性が存在する。
【課題を解決するための手段】
【０００６】
本発明の開示は、一般的にディスプレイに関し、より詳細には、ディスプレイのサブピクセル配置及びそれをレンダリングする方法に関する。
【０００７】
一例では、ディスプレイと制御論理部とを含む装置を提供する。ディスプレイは、サブピクセル群のアレイを含む。サブピクセル群の各々は、第１色に１つのサブピクセル、第２色に２つのサブピクセル、及び第３色に２つのサブピクセルを含む。アレイの各列内のサブピクセル群は繰り返される。アレイの各列内のサブピクセル群は、アレイの隣接する列内のサブピクセル群に対して互い違いにされる。制御論理部は、ディスプレイに作動的に結合され、かつ表示データを受信してその表示データをサブピクセル群のアレイを駆動するための制御信号に変換するように構成される。
【０００８】
別の例では、ディスプレイと制御論理部とを含む装置を提供する。ディスプレイは、発光体基板と駆動基板とを有する表示パネルを含む。発光体基板は、サブピクセル群のアレイを含む。各サブピクセル群のサブピクセルは、ＯＬＥＤに対応する。駆動基板は、駆動要素のアレイを含み、各駆動要素は、それぞれのＯＬＥＤを駆動するように構成される。サブピクセル群の各々は、第１色に１つのＯＬＥＤ、第２色に２つのＯＬＥＤ、及び第３色に２つのＯＬＥＤを含む。アレイの各列内のサブピクセル群は繰り返される。アレイの各列内のサブピクセル群は、アレイの隣接する列内のサブピクセル群に対して互い違いにされる。制御論理部は、ディスプレイに作動的に結合され、かつ表示データを受信してその表示データをサブピクセル群のアレイを駆動するための制御信号に変換するように構成される。
【０００９】
更に別の例では、ディスプレイと制御論理部とを含む装置を提供する。ディスプレイは、ＬＥＤランプのアレイを含む。ＬＥＤランプの各々は、第１色に１つのＬＥＤ、第２色に２つのＬＥＤ、及び第３色に２つのＬＥＤを含む。アレイの各列内のＬＥＤランプは繰り返される。アレイの各列内のＬＥＤランプは、アレイの隣接する列内のＬＥＤランプに対して互い違いにされる。制御論理部は、ディスプレイに作動的に結合され、かつ表示データを受信してその表示データをＬＥＤランプのアレイを駆動するための制御信号に変換するように構成される。
【００１０】
更に別の例では、ディスプレイと制御論理部とを含む装置を提供する。ディスプレイは、サブピクセル群のアレイを含む。サブピクセル群の各々は、第１色に２つのサブピクセル、第２色に２つのサブピクセル、及び第３色に２つのサブピクセルを含む。アレイの各列内のサブピクセル群は繰り返される。アレイの各列内のサブピクセル群は、アレイの隣接する列内のサブピクセル群に対して互い違いにされる。制御論理部は、ディスプレイに作動的に結合され、かつ表示データを受信してその表示データをサブピクセル群のアレイを駆動するための制御信号に変換するように構成される。
【００１１】
異なる例では、ディスプレイ上のサブピクセルレンダリングの方法を提供する。ディスプレイは、サブピクセル群のアレイを含む。サブピクセル群の各々は、第１色に１つのサブピクセル、第２色に２つのサブピクセル、及び第３色に２つのサブピクセルを含む。アレイの各列内のサブピクセル群は繰り返される。アレイの各列内のサブピクセル群は、アレイの隣接する列内のサブピクセル群に対して互い違いにされる。サブピクセル群の各々は、２つのピクセルに分割され、そのためにこの２つのピクセルの各々は、第２色における２つのサブピクセルのうちの一方と第３色における２つのサブピクセルのうちの一方とを含み、かつそのために第１色におけるサブピクセルは、そのこの２つのピクセルによって共有される。複数のピクセルを表示するための表示データの複数部分が、最初に受信される。表示データの各部分は、それぞれ第１、第２、及び第３の色を表す第１、第２、及び第３成分を含む。ディスプレイ上のサブピクセル群のアレイをレンダリングするための制御信号が、次に、表示データの複数部分に基づいて提供される。
【００１２】
他の概念は、ディスプレイ上のサブピクセルレンダリングの方法を実施するためのソフトウエアに関する。この概念に従うソフトウエア製品は、少なくとも１つの機械可読非一時的媒体とその媒体によって担持される情報とを含む。媒体によって保持される情報は、ユーザ、要求、又は社会集団等に関する情報のような要求又は作動パラメータに関連するパラメータに関する実行可能プログラムコードデータである場合がある。
【００１３】
一例では、ディスプレイ上のサブピクセルレンダリングのための情報が記録された非一時的機械可読媒体は、その情報が機械により読み取られると、機械に一連の段階を実行させる。ディスプレイは、サブピクセル群のアレイを含む。サブピクセル群の各々は、第１色に１つのサブピクセル、第２色に２つのサブピクセル、及び第３色に２つのサブピクセルを含む。アレイの各列内のサブピクセル群は繰り返される。アレイの各列内のサブピクセル群は、アレイの隣接する列内のサブピクセル群に対して互い違いにされる。サブピクセル群の各々は、２つのピクセルに分割され、そのために２つのピクセルの各々は、第２色における２つのサブピクセルのうちの一方と第３色における２つのサブピクセルのうちの一方とを含み、かつそのために第１色におけるサブピクセルは、その２つのピクセルによって共有される。複数のピクセルを表示するための表示データの複数部分が、最初に受信される。表示データの各部分は、それぞれ第１、第２、及び第３色を表す第１、第２、及び第３成分を含む。ディスプレイ上のサブピクセル群のアレイをレンダリングするための制御信号が、次に、表示データの複数部分に基づいて提供される。
【００１４】
実施形態は、同様の参照番号が同様の要素を表す以下の図面が伴う時に以下の説明に鑑みてより容易に理解されるであろう。
【図面の簡単な説明】
【００１５】
【図１】本発明の開示に示す一実施形態によるディスプレイと制御論理部とを含む装置を示すブロック図である。
【図２】本発明の開示に示す一実施形態による図１に示すディスプレイの一例を例示する側面図である。
【図３】本発明の開示に示す一実施形態によるディスプレイのサブピクセル配置の描写図である。
【図４】本発明の開示に示す一実施形態によるＯＬＥＤディスプレイの赤色、緑色、及び青色サブピクセル配置の描写図である。
【図５】本発明の開示に示す一実施形態による２つのサブピクセルによって共有される有機発光層を例示する側面図である。
【図６】本発明の開示に示す一実施形態による図４に示す赤色、緑色、及び青色ＯＬＥＤの有機発光層を製作するために用いるマスクの描写図である。
【図７】本発明の開示に示す一実施形態による図４に示すサブピクセル配置に対するピクセル分割の概略図である。
【図８】本発明の開示に示す一実施形態による図４に示すサブピクセル配置に対するワイヤレイアウトの一例の概略図である。
【図９】本発明の開示に示す一実施形態による図４に示すサブピクセル配置に対するワイヤレイアウトの別の例の概略図である。
【図１０】本発明の開示に示す一実施形態による図４に示すサブピクセル配置に対するワイヤレイアウトの更に別の例の概略図である。
【図１１】本発明の開示に示す一実施形態による図４に示すサブピクセル配置を用いてディスプレイ上に白色画面を表示する段階の描写図である。
【図１２】本発明の開示に示す一実施形態による図４に示すサブピクセル配置を用いてディスプレイ上に単一緑色垂直線を表示する段階の描写図である。
【図１３】本発明の開示に示す一実施形態による図４に示すサブピクセル配置を用いてディスプレイ上に２つの隣接する緑色垂直線を表示する段階の描写図である。
【図１４】本発明の開示に示す一実施形態による図４に示すサブピクセル配置を用いてディスプレイ上に２つの別々の緑色垂直線を表示する段階の描写図である。
【図１５】本発明の開示に示す一実施形態による図４に示すサブピクセル配置を用いてディスプレイ上に単一青色垂直線を表示する段階の描写図である。
【図１６】本発明の開示に示す一実施形態による図４に示すサブピクセル配置を用いてディスプレイ上に２つの隣接する青色垂直線を表示する段階の描写図である。
【図１７】本発明の開示に示す一実施形態による図４に示すサブピクセル配置を用いてディスプレイ上に２つの別々の青色垂直線を表示する段階の描写図である。
【図１８】本発明の開示に示す一実施形態によるＬＥＤランプディスプレイのサブピクセル配置の描写図である。
【図１９】本発明の開示に示す一実施形態による図１８に示すサブピクセル配置に対するピクセル分割の概略図である。
【図２０】本発明の開示に示す一実施形態による図１に示すディスプレイのサブピクセルをレンダリングする方法を例示する流れ図である。
【図２１】本発明の開示に示す一実施形態による図２０に示す方法を実施するためのアルゴリズムを例示する概略図である。
【図２２】本発明の開示に示す一実施形態によるＯＬＥＤディスプレイの別のサブピクセル配置の描写図である。
【図２３】本発明の開示に示す一実施形態によるＯＬＥＤディスプレイの更に別のサブピクセル配置の描写図である。
【図２４】本発明の開示に示す一実施形態に従って図１に示す制御論理部を集積回路（ＩＣ）チップとして実施する段階の一例を例示する図である。
【図２５】本発明の開示に示す一実施形態に従って図１に示す制御論理部をＩＣチップとして実施する段階の別の例を例示する図である。
【図２６】ＯＬＥＤディスプレイの従来技術の赤色、緑色、及び青色サブピクセル配置の描写図である。
【発明を実施するための形態】
【００１６】
以下の詳細説明では、関連する開示の完全な理解を与えるために、一例として多くの具体的な詳細を示している。しかし、本発明の開示がそのような詳細なしに実施可能であることは、当業者には明らかであるはずである。他の事例では、本発明の開示の不要に曖昧な態様を避けるために、公知の方法、手順、システム、構成要素、及び／又は回路は、詳細なしに比較的高いレベルで説明している。
【００１７】
他の新規な特徴の中でも、本発明の開示は、マスクベースの有機材料蒸着技術の限界を克服することにより、実際の色解像度を更に増加させる機能を提供する。本発明の開示の新規なサブピクセル配置は、既存の製造技術と完全に互換性があり、従って、比較的高い収量と低い生産コストとを確実にする。本発明の開示の新規なサブピクセル配置はまた、公知の解決方法と比較して表示の色分布をより均一にし、それによってユーザ体験を高める。本発明の新規なサブピクセル配置は、例えば、以下に限定されるものではないが、上面発光型ＯＬＥＤディスプレイ、底面発光型ＯＬＥＤディスプレイ、又はランプ付き掲示板ディスプレイのような様々なディスプレイに適用可能である。
【００１８】
追加の新規な特徴は、以下の説明に部分的に示され、一部は下記及び添付図面の精査時に当業者に明らかになり、又は実施例の生産又は作動によって知ることができる。本発明の新規な特徴は、以下に説明する詳細な実施例に示す方法、手段、及び組合せの様々な態様の実施又は使用によって実現かつ取得することができる。
【００１９】
図１は、ディスプレイ１０２と制御論理部１０４とを含む装置１００を示している。装置１００は、いずれかの適切なデバイス、例えば、テレビ、ラップトップコンピュータ、デスクトップコンピュータ、ネットブックコンピュータ、メディアセンター、携帯式デバイス（例えば、ダムフォン又はスマートフォン、タブレットなど）、電子掲示板、電子看板、ゲームコンソール、セットトップボックス、プリンタ、又はいずれかの他の適切なデバイスとすることができる。この例では、ディスプレイ１０２は、制御論理部１０４と作動的に結合され、例えば、以下に限定されるものではないが、テレビ画面、コンピュータモニタ、計器盤、ヘッドマウントディスプレイ、電子掲示板又は電子看板のような装置１００の一部である。ディスプレイ１０２は、ＬＣＤ、ＯＬＥＤディスプレイ、Ｅインクディスプレイ、ＥＬＤ、ＬＥＤ付き掲示板ディスプレイ又は白熱ランプ、又はいずれかの他の適切なタイプのディスプレイとすることができる。制御論理部１０４は、表示データ１０６を受信して受信した表示データ１０６をディスプレイ１０２上のサブピクセルを駆動するための制御信号１０８にレンダリングするように構成されたいずれかの適切なハードウエア、ソフトウエア、ファームウエア、又はその組合せとすることができる。例えば、様々なサブピクセル配置のためのサブピクセルレンダリングアルゴリズムは、制御論理部１０４の一部とすることができ、又は制御論理部１０４によって実施することができる。制御論理部１０４は、符号器、復号器、１又は２以上のプロセッサ、コントローラ（例えば、タイミングコントローラ）、及びストレージデバイスを含むいずれかの他の適切な構成要素を有することができる。制御論理部１０４は、独立型集積回路（ＩＣ）チップ又はディスプレイ１０２の駆動回路の一部として実施することができる。制御論理部１０４の一例と制御論理部１０４によって実施されるディスプレイ１０２のサブピクセルをレンダリングする方法とを以下で詳細に説明する。装置１００はまた、以下に限定されるものではないが、スピーカ１１０と、入力デバイス１１２、例えば、マウス、キーボード、リモコン、手書きデバイス、カメラ、マイクロフォン、スキャナなどとのようないずれかの他の適切な構成要素を有することができる。
【００２０】
一例では、装置１００は、ディスプレイ１０２を有するラップトップ又はデスクトップコンピュータとすることができる。この例では、装置１００は、プロセッサ１１４及びメモリ１１６を有する。プロセッサ１１４は、例えば、グラフィックプロセッサ（例えば、ＧＰＵ）、汎用プロセッサ（例えば、ＡＰＵ，アクセラレーテッド処理ユニット、及びＧＰＧＰＵ，ＧＰＵ上の汎用コンピュータ）、又はいずれかの他の適切なプロセッサとすることができる。メモリ１１６は、例えば、個別のフレームバッファ又は統合メモリとすることができる。プロセッサ１１４は、表示フレームに表示データ１０６を生成し、それを制御論理部１０４に送信する前に、メモリ１１６にその表示データ１０６を一時的に格納するように構成される。プロセッサ１１４はまた、例えば、以下に限定されるものではないが、制御命令１１８又は試験信号のような他のデータを生成し、それらを直接か又はメモリ１１６を通して制御論理部１０４に提供することができる。制御論理部１０４は、その後に、メモリ１１６から又は直接にプロセッサ１１４から表示データ１０６を受信する。
【００２１】
別の例では、装置１００は、ディスプレイ１０２を有するテレビとすることができる。この例では、装置１００はまた、以下に限定されるものではないが、アンテナ、無線周波数受信機、デジタル信号チューナ、デジタルディスプレイコネクタ、例えば、ＨＤＭＩ（登録商標）、ＤＶＩ、ＤｉｓｐｌａｙＰｏｒｔ、ＵＳＢ、Ｂｌｕｅｔｏｏｔｈ（登録商標）、ＷｉＦｉ受信機、又はイーサネット（登録商標）ポートのような受信機１２０を有する。受信機１２０は、装置１００の入力として表示データ１０６を受信し、制御論理部１０４にネイティブの又は変調された表示データ１０６を提供するように構成される。
【００２２】
更に別の例では、装置１００は、スマートフォン又はタブレットのような携帯式デバイスとすることができる。この例では、装置１００は、プロセッサ１１４、メモリ１１６、及び受信機１２０を有する。装置１００は、プロセッサ１１４によって表示データ１０６を生成すると共に、受信機１２０を通して表示データ１０６を受信することができる。例えば、装置１００は、モバイルテレビとモバイルコンピュータデバイスの両方として機能する携帯式デバイスとすることができる。いずれにせよ、装置１００は、以下に詳細に説明するような具体的に設計されたサブピクセル配置を有するディスプレイ１０２と、そのディスプレイ１０２の具体的に設計されたサブピクセル配置のための制御論理部１０４とを少なくとも含む。
【００２３】
ここで図２４及び２５を参照すると、制御論理部１０４は、これらの例では、フィールドプログラマブルゲートアレイ（ＦＰＧＡ）又は特定用途向け集積回路（ＡＳＩＣ）のような独立型ＩＣチップとして実施される。図２４に示す一例では、装置１００は、スマートフォン又はタブレットのような携帯式デバイスであり、ディスプレイ１０２に駆動回路２４０２及びマザーボード２４０４を組み込んでいる。ディスプレイ１０２は、フレキシブルプリント回路（ＦＰＣ）２４０６を通してマザーボード２４０４に接続される。マザーボード２４０４を変えずに携帯式デバイスを制御論理部１０４と容易に統合することができるように、制御論理部１０４を実施するＩＣチップをＦＰＣ２４０６上に配置する。図２５に示す別の例では、携帯式デバイスのコストを低減するために、制御論理部１０４を実施するＩＣチップをマザーボード２４０４上に配置する。
【００２４】
図２は、１群のサブピクセル２０２、２０４、２０６、２０８，２１０を含むディスプレイ１０２の一例を示している。ディスプレイ１０２は、いずれかの適切なタイプのディスプレイとすることができ、例えば、アクティブマトリックス（ＡＭ）ＯＬＥＤディスプレイ、パッシブマトリックス（ＰＭ）ＯＬＥＤディスプレイ、又はいずれかの他の適切なディスプレイのようなＯＬＥＤディスプレイとすることができる。ディスプレイ１０２は、制御論理部１０４と作動的に結合された表示パネル２１２を有することができる。
【００２５】
この例では、表示パネル２１２は、発光基板２１４と駆動基板２１６とを含む。図２に示すように、発光基板２１４は、それぞれ複数のサブピクセル２０２、２０４、２０６、２０８、２１０に対応する複数のＯＬＥＤ２１８、２２０、２２２、２２４、２２６を有する。図２のＡ、Ｂ、及びＣは、例えば、以下に限定されるものではないが、赤、緑、青、黄、シアン、マゼンタ、又は白色のような３つの異なる色を示している。発光基板２１４はまた、図２に示すように、ＯＬＥＤ２１８、２２０、２２２、２２４、２２６の間に配置された黒色マトリックス２２８を有する。黒色マトリックス２２８は、サブピクセル２０２、２０４、２０６、２０８、２１０の境界として、ＯＬＥＤ２１８、２２０、２２２、２２４、２２６の外側部分から現れる光を遮断するのに使用される。発光基板２１４の各ＯＬＥＤ２１８、２２０、２２２、２２４、２２６は、予め決められた色及び輝度で発光することができる。この例では、駆動基板２１６は、複数のサブピクセル２０２、２０４、２０６、２０８、２１０の複数のＯＬＥＤ２１８、２２０、２２２、２２４、２２６にそれぞれ対応し、薄膜トランジスタ（ＴＦＴ）のような複数の駆動要素２３０、２３２、２３４、２３６、２３８を有する。駆動要素２３０、２３２、２３４、２３６、２３８は、制御論理部１０４からの制御信号１０８によって個別にアドレス指定することができ、制御信号１０８に従ってそれぞれのＯＬＥＤ２１８、２２０、２２２、２２４、２２６からの発光を制御することにより、対応するサブピクセル２０２、２０４、２０６、２０８、２１０を駆動するように構成される。表示パネル２１２は、当業技術で公知のように、１又は２以上のガラス基板、偏光層、又はタッチパネルのようないずれかの他の適切な構成要素を含むことができる。
【００２６】
図２に示すように、複数のサブピクセル２０２、２０４、２０６、２０８、２１０の各々は、少なくとも１つのＯＬＥＤ及び対応する駆動要素から構成される。当業技術で公知のように、各ＯＬＥＤは、アノード、有機発光層、及びカソードのサンドイッチ構造によって形成することができる。それぞれのＯＬＥＤの有機発光層の特性（例えば、材料、構造など）に応じて、サブピクセルは、異なる色又は輝度を表示することができる。この例では、サブピクセル２０２、２０４、２０６、２０８、２１０は、サブピクセルの群として、２つのピクセルに分割される。第１ピクセル２４０は、サブピクセルＢ２０４とサブピクセルＣ２０６とを含み、第２ピクセル２４２は、サブピクセルＢ２０８とサブピクセルＣ２１０とを含み、サブピクセルＡ２０２は、第１及び第２のピクセル２４０、２４２の両方によって共有される。ここで、表示データ１０６は、典型的にピクセルレベルでプログラムされるので、各ピクセルのサブピクセル又は隣接するピクセルの複数のサブピクセルは、サブピクセルレンダリングアルゴリズムの助けを借りて表示データ１０６において指定されるように、各ピクセルの適切な輝度及び色を表示するためのサブピクセルレンダリングによって集団的にアドレス可能である。しかし、他の例では、表示データ１０６が、サブピクセルレンダリングを必要とせずに直接個々のサブピクセルをアドレス可能であるように、表示データ１０６をサブピクセルレベルでプログラムすることができるということが理解される。フルカラーを表現するには、通常３原色−ＲＧＢを必要とするので、具体的に設計されるサブピクセルの配置を適切な実際の色解像度を達成するためのディスプレイ１０２に関して以下で詳細に与える。
【００２７】
図２をＯＬＥＤディスプレイとして示すが、それは、単に例示のために限定することなく与えられていると理解される。上述のように、ＯＬＥＤディスプレイに加えて、ディスプレイ１０２は、ＬＣＤ、ＯＬＥＤディスプレイ、Ｅインクディスプレイ、ＥＬＤ、ＬＥＤ付き掲示板ディスプレイ又は白熱ランプ、又はいずれかの他の適切なタイプのディスプレイとすることができる。
【００２８】
図３は、本発明の開示に示す一実施形態によるディスプレイのサブピクセル配置を表している。図３は、例えば、ディスプレイ１０２の平面図とすることができ、かつディスプレイ１０２のサブピクセル配置の一例を表している。ディスプレイ１０２は、サブピクセル群３０２のアレイ３００を含む。この実施形態での各サブピクセル群は、５つのサブピクセルを含み、第１色Ａに１つのサブピクセル、第２色Ｂに２つのサブピクセル、及び第３色Ｃに２つのサブピクセルを含む。図３のＡ、Ｂ、及びＣは、例えば、以下に限定されるものではないが、赤、緑、青、黄、シアン、マゼンタ、又は白色のような３つの異なる色を意味する。アレイ３００の各列（例えば、列１、列２、列３、列４など）にあるサブピクセル群３０２は、水平方向に沿って繰り返される。アレイ３００の各列にあるサブピクセル群は、アレイ３００の隣接する列内のサブピクセル群に対して互い違いにされる。言い換えれば、隣接する列のサブピクセル群３０２は、水平方向に沿って互い違いである。例えば、図３に示すように、列１にあるサブピクセル群３０２は、列２にあるサブピクセル群３０２に対して距離Ｄだけ互い違いにされる。距離Ｄは、サブピクセル群３０２の幅Ｗより小さいことが理解される。一例では、距離Ｄは、サブピクセル群３０２の幅Ｗの１／２に等しい。この実施形態において、インターバル列のサブピクセル群３０２は、垂直方向に沿って位置合わせされる。すなわち、各奇数列（例えば、列１、列３など）にあるサブピクセル群３０２は、垂直方向に位置合わせされており、各偶数列（例えば、列２、列４など）にあるサブピクセル群３０２は、垂直方向に位置合わせされる。言い換えると、各列のサブピクセル群３０２は、反復して配置され、隣接する列のサブピクセル群３０２は、例えば、反復ピッチの１／２だけ互いからずらして配置される。
【００２９】
この実施形態において、５つのサブピクセルＡ、Ｂ、Ｂ、Ｃ、及びＣは、各サブピクセル群３０２において同じパターンに配置される。各サブピクセル群３０２に関して、第２色Ｂの２つのサブピクセルは、水平方向に沿って第１色Ａのサブピクセルの異なる側にあり、第３色Ｃの２つのサブピクセルも、同じく水平方向に沿って第１色Ａのサブピクセルの異なる側にある。すなわち、水平方向において、サブピクセルＡは、２つのサブピクセルＢの間にあり、同じく２つのサブピクセルＣの間にある。言い換えれば、各サブピクセル群３０２において、一方のサブピクセルＢと一方のサブピクセルＣは、サブピクセル群３０２の左部分にあり、他方のサブピクセルＢと他方のサブピクセルＣは、サブピクセル群３０２の右部分にあり、サブピクセルＡは、サブピクセル群３０２の中央にある。
【００３０】
この実施形態において、各サブピクセル群３０２において、一方のサブピクセルＢは、サブピクセルＡの左側で垂直方向に沿って一方のサブピクセルＣに位置合わせされ、他方のサブピクセルＢは、サブピクセルＡの右側で垂直方向に沿って他方のサブピクセルＣに位置合わせされる。２つのサブピクセルＢは、水平方向に沿って位置合わせされ、２つのサブピクセルＣも同様に水平方向に沿って位置合わせされる。言い換えれば、同じ色の２つのサブピクセル（すなわち、ＢとＢ又はＣとＣ）は、水平方向に互いに面一に配置され、異なる色の２つのサブピクセル（すなわち、ＢとＣ）は、垂直方向に互いに面一に配置される。２つのサブピクセルが異なるサイズ及び／又は形状を有する場合であっても、２つのサブピクセルの中心が垂直方向又は水平方向に位置合わせされているならば、それらは「位置合わせ」していると見なされることが理解される。
【００３１】
図４は、本発明の開示に示す一実施形態によるＯＬＥＤディスプレイの赤色、緑色、及び青色サブピクセル配置を示している。図４は、例えば、ディスプレイ１０２の平面図とすることができ、ディスプレイ１０２のサブピクセル配置の一例を示している。この実施形態において、各サブピクセルは、ＯＬＥＤに対応する。図３に関して示したのと同じサブピクセル配置をこの例ではサブピクセル群４０２のアレイ４００に適用している。図４に示すように、各サブピクセル群４０２は、１つの青色ＯＬＥＤ  Ｂ、２つの緑色ＯＬＥＤ  Ｇ、及び２つの赤色ＯＬＥＤ  Ｒを含む。この実施形態において、サブピクセル群４０２が同じ列で水平方向に繰り返され、隣接する列内のサブピクセル群４０２に対して、サブピクセル群の幅の半分だけ互い違いにされる。各サブセル群４０２では、一方の緑色ＯＬＥＤ及び一方の赤色ＯＬＥＤは、青色ＯＬＥＤの左側に配置され、他方の緑色ＯＬＥＤ及び他方の赤色ＯＬＥＤは、青色ＯＬＥＤの右側に配置される。図４は、緑色ＯＬＥＤが各サブピクセル群４０２において赤色ＯＬＥＤの上方にあることを示すが、それらの位置は、別の例では交換することができる。言い換えれば、赤色ＯＬＥＤは、各サブピクセル群４０２において青色ＯＬＥＤの上方にある場合がある。
【００３２】
この実施形態において、青色ＯＬＥＤのサイズは、２つの緑色ＯＬＥＤ及び２つの赤色ＯＬＥＤのいずれのサイズよりも大きい。言い換えると、青色ＯＬＥＤは、各サブピクセル群４０２にある５つのサブピクセルの中で最大のサブピクセルである。この実施形態において、各サブピクセルは、湾曲したコーナを有する実質的に矩形の形状を有する。しかし、他の例での各サブピクセルの形状は変更可能であると理解される。サブピクセルの他の形状には、以下に限定されるものではないが、実質的に円形、三角形、四角形、五角形、六角形、七角形、八角形、又はいずれかの他の適切な形状が含まれる。サブピクセル間の領域は、上述のように黒色マトリックスで充填することができる。この実施形態において、各サブピクセル群４０２内の２つの緑色ＯＬＥＤは、同じ形状とサイズを有し、２つの赤色ＯＬＥＤも同様に同じ形状及びサイズを有する。言い換えれば、各サブピクセル群４０２内の同色サブピクセルは、幾何学的に同一である。一例では、２つの緑色ＯＬＥＤ及び２つの赤色ＯＬＥＤの各々は、同じ形状及びサイズを有する。すなわち、最大の青色サブピクセルを除いて、サブピクセル群４０２内のサブピクセルの各々は、一例では幾何学的に同一である。他の例では、各サブピクセル群は、１つの赤色ＯＬＥＤ、２つの緑色ＯＬＥＤ、及び２つの青色ＯＬＥＤを含むことができ、その赤色ＯＬＥＤは、サブピクセル群の中央にあり、サブピクセル群の５つのＯＬＥＤの中で最大サイズを有するということが理解される。
【００３３】
この実施形態において、サブピクセル群４０２内の２つの緑色ＯＬＥＤの各々は、アレイ４００の同じ列内にある隣接サブピクセル群４０２の各緑色ＯＬＥＤと同じ有機発光層を共有する。同様に、サブピクセル群４０２内の２つの赤色ＯＬＥＤの各々は、アレイ４００の同じ列内にある隣接サブピクセル群４０２の各赤色ＯＬＥＤと同じ有機発光層を共有する。図４の破線は、有機発光層の領域を示している。例えば、２つの隣接するサブピクセル群４０２にある緑色ＯＬＥＤ４０４及び緑色ＯＬＥＤ４０６は、同じ有機発光層を共有し、赤色ＯＬＥＤ４０８及び４１０も同様である。すなわち、同色の隣接するＯＬＥＤにより、共通の有機発光層が使用される。ここで図５を参照すると、同色の第１ＯＬＥＤ５０２と第２ＯＬＥＤ５０４は、互いに隣接して同じ有機発光層５０６を共有する。２つの隣接するＯＬＥＤ５０２、５０４は、同じ有機発光層５０６を共有するが、それらは別々のアノード及び／又はカソードによって区別可能である。この例では、第１ＯＬＥＤ５０２は、有機発光層５０６を通して電流を印加するための自身のアノード５０８及びカソード５１０を有し、第２ＯＬＥＤ５０４もまた、自身のアノード５１２及びカソード５１４を有する。別の例では、２つのＯＬＥＤ５０２、５０４は、更に、同じアノード又はカソードを共有することができることが理解される。
【００３４】
上述のように、ＯＬＥＤディスプレイのピクセル密度を増加させることの障害は、有機材料の蒸着に使用されるマスクのパターン精度によって制限される各有機発光層の最小サイズである。この実施形態において、青色ＯＬＥＤが比較的大きいサイズを有し、隣接する緑色／赤色のピクセルが比較的大きいサイズを有する共通の有機発光層を共有することができるので、この制限は、更に克服される。ここで図６を参照すると、図４に示す赤色、緑色、及び青色ＯＬＥＤの有機発光層を製作するのに使用されるマスク（例えば、ＦＭＭ）が示されている。蒸着技術により赤色又は緑色ＯＬＥＤの有機発光層を製作するために、第１マスク６０２を使用する。第１マスク６０２上の各開口部６０４は、２つの隣接する赤色又は緑色ＯＬＥＤによって共有される共通の有機発光層に対応する。開口部６０４のレイアウトは、図４に示す緑色又は赤色サブピクセル配置に対応する。第２マスク６０６は、青色ＯＬＥＤの有機発光層を製作するのに使用される。第２マスク６０６の各開口部６０８は、各青色ＯＬＥＤの有機発光層に対応する。開口部６０８のレイアウトは、図４に示す青色サブピクセルの配置に対応する。別の例では、第１マスク６０２は、青色又は緑色ＯＬＥＤの有機発光層を製作するために使用することができ、第２マスク６０６は、赤色ＯＬＥＤの有機発光層を製作するために使用することができるということが理解される。
【００３５】
図７は、図４に示すサブピクセル配置に対するピクセル分割の一例を示している。この例では、各サブピクセル群４０２は、２つのピクセル７０２、７０４に分割され、２つのピクセル７０２、７０４の各々は、第２色（例えば、Ｇ）の２つのサブピクセルのうちの一方と第３色（例えば、Ｒ）の２つのサブピクセルのうちの一方とを含み、第１色（例えば、Ｂ）のサブピクセルは、その２つのピクセル７０２、７０４によって共有される。図７に示すように、サブピクセル群４０２は、青色ＯＬＥＤの中央部を貫通して１つのピクセル７０２に対応する左部分と別のピクセル７０４に対応する右部分とに均等に分割される。ピクセル７０２は、１つの緑色ＯＬＥＤ、１つの赤色ＯＬＥＤ、及び青色ＯＬＥＤの左部分を含み、ピクセル７０４は、１つの緑色ＯＬＥＤ、１つの赤色ＯＬＥＤ、及び青色ＯＬＥＤの右部分を含む。すなわち、ディスプレイ上の各青色ＯＬＥＤは、隣接する２つのピクセルによって共有される。各青色ＯＬＥＤは、ただ１つの有機発光層と１組のアノード／カソードとを有するので、青色ＯＬＥＤが２つのピクセルによって共有される場合に、制御論理部１０４で特殊なサブピクセルレンダリングアルゴリズムを実行することが必要になる。サブピクセルレンダリングアルゴリズムの詳細を図２０−２１に関して以下に説明する。この例では、緑色及び赤色サブピクセル数は、ディスプレイ上のピクセル数と同じであり、青色サブピクセル数だけが、ディスプレイ上のピクセル数の半分である。従って、図２６に示す従来例と比較すると、この例の実際の色解像度は増加している。更に、この実施形態での各ピクセル７０２、７０４は、全３原色−ＲＧＢを含み、これも、図２６に示す従来例よりも優れている。
【００３６】
この実施形態において、隣接する列間の千鳥配置のために、ディスプレイの左右縁部が不規則になる。一例では、縁部に沿って青色ＯＬＥＤ７０８のサイズ及び形状が変化しないように、鋸歯状の縁部７０６を有する黒色樹脂層を用いてディスプレイの縁部を覆う。この例では、ディスプレイの縁部に沿うこれら７０８を含む全ての青色ＯＬＥＤに、同じサブピクセルレンダリングアルゴリズムを適用することができる。しかし、特に各ピクセルのサイズが相対的に大きい場合に、ディスプレイの縁部に沿った鋸歯形状は望ましくない。別の例では、平坦な縁部７１０を有する黒色樹脂層を用いてディスプレイの縁部を覆うので、縁部に沿う各青色ＯＬＥＤ７１２は、規則的な青色ＯＬＥＤの半分に過ぎない。この例では、サブピクセルレンダリングアルゴリズムは、ディスプレイの縁部に沿う青色ＯＬＥＤ７１２を別様に表示するように修正しなければならない。例えば、縁部に沿う各青色ＯＬＥＤ７１２は、もはや２つのピクセルによって共有されておらず、むしろ、ただ１つのピクセルに含まれている。従って、青色ＯＬＥＤのための特別な処理は、ディスプレイの縁部に沿う青色ＯＬＥＤ７１２のためには必要でない場合がある。別の例では、青色ＯＬＥＤではなく、赤色ＯＬＥＤが最大のＯＬＥＤで各サブピクセル群の中央にあり、２つの隣接するピクセルによって共有されるものとすることができることが理解される。
【００３７】
図８は、図４に示すサブピクセル配置のためのワイヤレイアウトの一例を示している。この例では、破線は有機発光層の領域を示し、Ｔは各ＯＬＥＤのためのスイッチングトランジスタ（例えば、ＴＦＴ）である。この例では、青色又は赤色ＯＬＥＤ（各サブピクセル群の中央にある最大のＯＬＥＤ）を通過するそれらのデータ線８０２は、青色又は赤色サブピクセルのデータを送信するためにのみ使用される。従って、この例でのデータ線の信号負荷比は５０％に過ぎず、フレームの半分はブランクである。従って、表示データのバンド幅を低減することはできない。しかし、この例でのワイヤレイアウトは、底面発光のＯＬＥＤディスプレイの開口数を増加させることが可能なので、底面発光のＯＬＥＤディスプレイに対して特に適している。
【００３８】
図９は、図４に示すサブピクセル配置のためのワイヤレイアウトの別の例を示している。この例では、破線は有機発光層の領域を示し、Ｔは各ＯＬＥＤのためのスイッチングトランジスタである。この例では、データ線の数は図８の例と比べて低減されるので、各データ線の信号負荷比は１００％まで増加し、それによって表示データのバンド幅を低減し、ＩＣの幅を低減し、ソースピンの数を低減している。しかし、青色又は赤色ＯＬＥＤ（各サブピクセル群の中央にある最大のＯＬＥＤ）の一部のスイッチングトランジスタ９０２は、隣接するデータ線と交差するので、アンチカプリングの問題はレイアウト設計において対処しなければならない。
【００３９】
図１０は、図４に示すサブピクセル配置のためのワイヤレイアウトの更に別の例を示している。この例では、破線は有機発光層の領域を示し、Ｔは各ＯＬＥＤのためのスイッチングトランジスタである。異なる色ＯＬＥＤは異なるサイズを有するので、有機発光層間の縁部は、垂直方向に位置合わせされていない。従って、この例では、一部のデータ線１００２は、有機発光層の縁部に沿って延びる折れ線である。この例でのこれらの折れ線のデータ線１００２は、全て単一データ線である。青色又は赤色ＯＬＥＤ（各サブピクセル群の中央にある最大のＯＬＥＤ）を通過する他のデータ線１００４は、図１０に示すように二重の直線である。図９の例と同様に、データ線の数は図８の例と比べて低減されるので、各データ線の信号負荷比は１００％まで増加し、それによって表示データのバンド幅を低減し、ＩＣの幅を低減し、ソースピンの数を低減している。
【００４０】
図１１−１７は、図４に示すサブピクセル配置を使用してディスプレイ上に異なるパターンを表示する様々な例を示している。図１１では、各サブピクセルは、完全にオンにされて（すなわち、各サブピクセルの値は２５５である）、白色画面が表示される。図１２では、単一緑色垂直線１２０２が、対応するサブピクセル群１２０４、１２０６にある緑色サブピクセルの半分を完全にオンにする（すなわち、緑色サブピクセルの値が２５５である）ことによって表示される。例えば、サブピクセルの各奇数列では、対応するサブピクセル群１２０４の右部分にある緑色サブピクセルがオンにされ、サブピクセルの各偶数列では、対応するサブピクセル群１２０６の左部分にある緑色サブピクセルがオンにされる。隣接する列間の千鳥配置のために、隣接する列の緑色サブピクセルは、厳密には垂直方向に位置合わせされておらず、従って、この例での単一緑色垂直線１２０２は直線ではないことが理解される。しかし、人間の視覚系は、距離を置いて見た時に単一緑色垂直線１２０２を１つの直線と見なすことになる。
【００４１】
図１３では、２つの隣接する緑色垂直線１３０２、１３０４が、対応するサブピクセル群１３０６、１３０８、１３１０にある緑色サブピクセルの半分又は全てを完全にオンにする（すなわち、緑色サブピクセルの値が２５５である）ことによって表示される。サブピクセルの各奇数列では、２つの隣接するサブピクセル群１３０６、１３０８にある緑色サブピクセルの半分がオンにされる。例えば、各奇数列の対応するサブピクセル群１３０６の右部分にある緑色サブピクセルがオンにされ、各奇数列の対応するサブピクセル群１３０８の左部分にある緑色サブピクセルがオンにされる。サブピクセル群１３０６及びサブピクセル群１３０８は、各奇数列において互いに隣接している。各偶数行では、対応するサブピクセル群１３１０内の全ての緑色サブピクセルがオンにされる。同様に、人間の視覚系は、距離を置いて見た時に２つの隣接する緑色垂直線１３０２、１３０４を２つの直線と見なすことになる。
【００４２】
図１４では、２つの別々の緑色垂直線１４０２、１４０４が、対応するサブピクセル群１４０６、１４０８、１４１０、１４１２にある緑色サブピクセルの半分を完全にオンにする（すなわち、緑色サブピクセルの値が２５５である）ことによって表示される。サブピクセルの各奇数列では、２つの隣接するサブピクセル群１４０６、１４０８にある緑色サブピクセルの半分がオンにされ、サブピクセルの各偶数列では、２つの隣接するサブピクセル群１４１０、１４１２にある緑色サブピクセルの半分がオンにされる。例えば、各奇数列の対応するサブピクセル群１４０６、１４０８の右部分にある緑色サブピクセルがオンにされ、各偶数列の対応するサブピクセル群１４１０、１４１２の左部分にある緑色サブピクセルがオンにされる。サブピクセル群１４０６及びサブピクセル群１４０８は、各奇数行において互いに隣接しており、サブピクセル群１４１０及びサブピクセル群１４１２は、各偶数行において互いに隣接している。同様に、人間の視覚系は、距離を置いて見た時に２つの別々の緑色垂直線１４０２、１４０４を２つの直線と見なすことになる。図１２−１４の例では、緑色垂直線だけが表示されているが、赤色垂直線も、図１２−１４の例に示すのと同様に、対応するサブピクセル群にある赤色サブピクセルの半分及び／又は全てをオンにすることによって表示することができる。
【００４３】
図１５では、単一青色垂直線１５０２が、対応するサブピクセル群１５０４、１５０６にある青色サブピクセルを完全にオンにする（すなわち、青色サブピクセルの値が２５５である）ことによって表示される。例えば、サブピクセルの各奇数列では、対応するサブピクセル群１５０４にある青色サブピクセルはオンにされ、サブピクセルの各偶数列では、対応するサブピクセル群１５０６にある青色サブピクセルがオンにされる。隣接する列間の千鳥配置のために、隣接する列の青色サブピクセルは、厳密には垂直方向に位置合わせされておらず、従って、この例での単一青色垂直線１５０２は直線ではないことが理解される。しかし、人間の視覚系は、距離を置いて見た時に単一青色垂直線１５０２を直線と見なすことになる。
【００４４】
図１６では、２つの隣接する青色垂直線１６０２、１６０４が、対応するサブピクセル群１６０６、１６０８、１６１０にある青色サブピクセルを完全に又は部分的にオンにすることによって表示される。各奇数列では、対応するサブピクセル群１６０６の青色サブピクセルは、部分的にオンにされる（すなわち、青色サブピクセルの値は、０より大きく、２５５より小さい）。サブピクセルの各偶数列では、２つの隣接するサブピクセル群１６０８、１６１０にある青色サブピクセルは、完全にオンにされる（すなわち、青色サブピクセルの値は２５５である）。同様に、人間の視覚系は、距離を置いて見た時に２つの隣接する青色垂直線１６０２、１６０４を２つの直線と見なすことになる。
【００４５】
図１７では、２つの別々の青色垂直線１７０２、１７０４が、対応するサブピクセル群１７０６、１７０８、１７１０、１７１２にある青色サブピクセルを完全にオンにする（すなわち、青色サブピクセルの値が２５５である）ことによって表示される。サブピクセルの各奇数列では、２つの隣接するサブピクセル群１７０６、１７０８にある青色サブピクセルがオンにされ、サブピクセルの各偶数列では、２つの隣接するサブピクセル群１７１０、１７１２にある青色サブピクセルがオンにされる。同様に、人間の視覚系は、距離を置いて見た時に２つの別々の青色垂直線１７０２、１７０４を２つの直線と見なすことになる。
【００４６】
図１８は、本発明の開示に示す一実施形態によるＬＥＤランプディスプレイのサブピクセル配置を表している。図１８は、例えば、ディスプレイ１０２の平面図とすることができ、ディスプレイ１０２のサブピクセル配置の一例を表している。この例でのディスプレイ１０２は、ＬＥＤランプ１８０２のアレイ１８００を有する掲示板ディスプレイのようなＬＥＤランプディスプレイである。各ＬＥＤランプ１８０２は、サブピクセル群と見なすことができ、アレイ１８００の各列において水平方向に繰り返される。図３のサブピクセル群３０２の配置と同様に、アレイ１８００の各列にあるＬＥＤランプ１８０２は、アレイ１８００の隣接する列内のＬＥＤランプ１８０２に対して、例えば、ＬＥＤランプ１８０２の幅の半分だけ互い違いにされる。インターバル列のＬＥＤランプ１８０２は、垂直方向に沿って位置合わせされる。この実施形態での各ＬＥＤランプ１８０２は、個別に制御可能な５つのＬＥＤのアセンブリ／パッケージングである。各ＬＥＤランプ１８０２は、第１色Ａに１つのＬＥＤ、第２色Ｂに２つのＬＥＤ、及び第３色Ｃに２つのＬＥＤを含む。図１８のＡ、Ｂ、及びＣは、例えば、以下に限定されるものではないが、赤、緑、青、黄、シアン、又はマゼンタのような３つの異なる色を意味する。一例では、第１色Ａは青であり、第２及び第３色のＢ、Ｃは、緑及び赤である。ＬＥＤランプ１８０２の全てのＬＥＤがオンにされた状態で、ＬＥＤランプ１８０２は、白色光を放出する。
【００４７】
この実施形態において、５つのＬＥＤ、Ａ、Ｂ、Ｂ、Ｃ、及びＣは、各ＬＥＤランプ１８０２において同じパターンに配置される。各ＬＥＤランプ１８０２に関して、第２色Ｂの２つのＬＥＤは、水平方向に沿って第１色ＡのＬＥＤの異なる側にあり、第３色Ｃの２つのＬＥＤも、同じく水平方向に沿って第１色ＡのＬＥＤの異なる側にある。言い換えれば、各ＬＥＤランプ１８０２において、一方のＬＥＤＢと一方のＬＥＤＣは、ＬＥＤランプ１８０２の左部分にあり、他方のＬＥＤＢと他方のＬＥＤＣは、ＬＥＤランプ１８０２の右部分にあり、ＬＥＤＡは、ＬＥＤランプ１８０２の中央にある。
【００４８】
この実施形態において、各ＬＥＤランプ１８０２において、一方のＬＥＤＢは、ＬＥＤＡの左側で垂直方向に沿って一方のＬＥＤＣに位置合わせされ、他方のＬＥＤＢは、ＬＥＤＡの右側で垂直方向に沿って他方のＬＥＤＣに位置合わせされる。図３に示す例とは違って、この実施形態において、一方のＬＥＤＢは水平方向に沿って一方のＬＥＤＣに位置合わせされており、他方のＬＥＤＢは水平方向に沿って他方のＬＥＤＣに位置合わせされる。言い換えれば、同じ色の２つのＬＥＤ（すなわち、ＢとＢ又はＣとＣ）は、対角線方向に互いに面一に配置され、異なる色の２つのＬＥＤ（すなわち、ＢとＣ）は、垂直方向又は水平方向に互いに面一に配置される。
【００４９】
図１９は、図１８に示すサブピクセル配置に対するピクセル分割の一例である。この例では、各ＬＥＤランプ１８０２は、２つのピクセル１９０２、１９０４に分割され、２つのピクセル１９０２、１９０４の各々は、第２色（例えば、Ｇ）の２つのＬＥＤのうちの一方と第３色（例えば、Ｒ）の２つのＬＥＤのうちの一方とを含み、第１色（例えば、Ｂ）のＬＥＤは、その２つのピクセル１９０２、１９０４によって共有される。図１９に示すように、ＬＥＤランプ１８０２は、青色ＬＥＤの中央部を貫通して１つのピクセル１９０２に対応する左部分と別のピクセル１９０４に対応する右部分とに均等に分割される。ピクセル１９０２は、１つの緑色ＬＥＤ、１つの赤色ＬＥＤ、及び青色ＬＥＤの左部分を含み、ピクセル１９０４は、１つの緑色ＬＥＤ、１つの赤色ＬＥＤ、及び青色ＬＥＤの右部分を含む。すなわち、ディスプレイ上の各青色ＬＥＤは、隣接する２つのピクセルによって共有される。別の例では、各ＬＥＤランプは、１つの赤色ＬＥＤ、２つの緑色ＬＥＤ、及び２つの青色ＬＥＤを含むことができ、赤色ＬＥＤは、ＬＥＤランプの中央にあり、２つの隣接するピクセルによって共有されるということが理解される。
【００５０】
図２０は、ディスプレイ上のサブピクセルレンダリングの方法の一例を示している。本方法は、装置１００の制御論理部１０４、又は少なくとも１つのプロセッサを有するいずれかの他の適切な機械上で実施することができる。制御論理部１０４は、以下に説明する方法の各段階を実行するために、論理部及びモジュールを有することができる。本明細書で言う「論理部」及び「モジュール」は、いくつかを挙げると、プログラムされたプロセッサ、個別論理部、例えば、状態機械のような望ましい機能を実行することができるいずれかの適切なソフトウエア、ハードウエア、又はそれらのいずれかの適切な組合せとして定義される。サブピクセルをレンダリングする方法は、図３−１９で上述したサブピクセル配置のいずれにも、又は本発明の開示によるあらゆるの他の適切なサブピクセル配置にも適用することができる。
【００５１】
２００２から開始されて、複数のピクセルを表示するための表示データの複数部分が受信される。表示データの各部分は、それぞれ第１、第２、及び第３色を表す第１、第２、及び第３成分を含む。この例では、第１色は青であり、第２及び第３色は、緑及び赤である。上述のように、表示データ１０６は、ピクセルレベルでプログラムされ、従って、ディスプレイ１０２上の各ピクセルに対して異なる色（例えば、赤色、緑色、及び青色の３原色）を有する３つのサブピクセルをレンダリングするための３成分のデータを含むことができる。ここで図２１を参照すると、例えば、第１ピクセル２１０４に対する表示データの第１部分２１０２は、（ｒ１、ｇ１、ｂ１）として表すことができる。３成分ｒ１、ｇ１、ｂ１の各々は、０から２５５までの値を有することができる。全３成分が２５５に設定された状態で、第１ピクセル２１０４にある３つのサブピクセルは完全にオンにされて、そのピクセルは白色を提示し、全３成分が０に設定された状態で、第１ピクセル２１０４にある３つのサブピクセルは完全にオフにされて、第１ピクセル２１０４は黒色を提示する。同様に、同じ列の第１ピクセル２１０４に隣接する第２ピクセル２１０８の表示データの第２部分２１０６は、（ｒ２、ｇ２、ｂ２）として表すことができる。上述のように、第１及び第２のピクセル２１０４、２１０８は、同じサブピクセル群２１１０から分割され、サブピクセル群２１１０の青色サブピクセルＢを共有する。ピクセル２１０４、２１０８の各々は、１つの緑色サブピクセルＧと１つの赤色サブピクセルＲとを含む。
【００５２】
図２０に戻って参照すると、２００４で、ディスプレイ１０２上のサブピクセル群のアレイをレンダリングするための制御信号１０８が、表示データの複数部分１０６に基づいて与えられる。一実施形態において、２００６で、第１色における各サブピクセルに対して、それぞれの制御信号は、第１色におけるサブピクセルを共有する２つのピクセルを表示するための表示データの２つの部分の第１成分に基づいて与えられる。一例では、それぞれの制御信号は、表示データの２つの部分の第１成分の加重平均を計算することによって得られる。図２１を参照すると、青色サブピクセルを駆動するための制御信号２１１２は、表示データの第１及び第２部分２１０２、２１０６の青色成分の加重平均を計算することによって得られる。例えば、その計算は、以下の式：
0006349406.tif 000002
を用いて実行することができ、ここで、ｂ’は、青色サブピクセルに対する制御信号２１１２の値であり、ｂ１、ｂ２は、それぞれ表示データの２つの部分２１０２、２１０６の青色成分値であり、ｗ１、ｗ２は、それぞれｂ１、ｂ２の重みである。一例では、ｗ１とｗ２は、共に１／２に等しく、ｂ’は、ｂ１とｂ２の平均である。ｗ１、ｗ２の値は、別の例では異なることができることは理解される。緑色及び赤色サブピクセルに関しては、対応するピクセルの対応する成分を直接用いて、緑色及び赤色サブピクセルを駆動するための制御信号を提供することができる。図２１に示すように、ｇ１を用いて第１ピクセル２１０４の緑色サブピクセルのための制御信号を与え、ｒ１を用いて第１ピクセル２１０４の赤色サブピクセルのための制御信号を提供する。同様に、ｇ２を用いて第２ピクセル２１０８の緑色サブピクセルのための制御信号を与え、ｒ２を用いて第２ピクセル２１０８の赤色サブピクセルのための制御信号を提供する。別の例では、第１色は、赤色とすることができ、表示データの第１及び第２部分の赤色成分の加重平均も上述と同様に計算することができるということが理解される。
【００５３】
図２２は、本発明の開示に示す一実施形態によるＯＬＥＤディスプレイのサブピクセル配置の別の例を示している。図２２は、例えば、ディスプレイ１０２の平面図とすることができ、ディスプレイ１０２のサブピクセル配置の一例を表している。ディスプレイ１０２は、サブピクセル群２２０２のアレイ２２００を含む。この実施形態での各サブピクセル群２２０２は、５つのサブピクセルを含み、第１色Ａに２つのサブピクセル、第２色Ｂに２つのサブピクセル、及び第３色Ｃに２つのサブピクセルを含む。図２２のＡ、Ｂ、及びＣは、例えば、以下に限定されるものではないが、赤、緑、青、黄、シアン、マゼンタ、又は白色のような３つの異なる色を意味する。一例では、第１色Ａは青であり、第２及び第３色Ｂ、Ｃは、緑及び赤である。アレイ２２００の各列にあるサブピクセル群２２０２は、水平方向に沿って繰り返される。アレイ２２００の各列にあるサブピクセル群２２０２は、アレイ２２００の隣接する列内のサブピクセル群２２０２に対して互い違いにされる。言い換えれば、隣接する列のサブピクセル群２２０２は、水平方向に沿って互い違いである。この実施形態において、インターバル列のサブピクセル群２２０２は、垂直方向に沿って位置合わせされる。すなわち、各奇数列にあるサブピクセル群２２０２は、垂直方向に位置合わせされており、各偶数列にあるサブピクセル群２２０２も、垂直方向に位置合わせされる。言い換えると、各列のサブピクセル群２２０２は、反復して配置され、隣接する列のサブピクセル群２２０２は、例えば、反復ピッチの１／２だけ互いからずらして配置される。別の例では、第１色Ａは赤であり、第２及び第３色のＢ、Ｃは、緑及び青である。
【００５４】
この実施形態において、６つのサブピクセルＡ、Ａ、Ｂ、Ｂ、Ｃ、及びＣは、各サブピクセル群２２０２において同じパターンに配置される。各サブピクセル群２２０２に関して、第２色Ｂの２つのサブピクセルは、水平方向に沿って第１色Ａの２つのサブピクセルの異なる側にあり、第３色Ｃの２つのサブピクセルも、同じく水平方向に沿って第１色Ａの２つのサブピクセルの異なる側にある。すなわち、水平方向において、２つのサブピクセルＡは、２つのサブピクセルＢの間にあり、更に、２つのサブピクセルＣの間にある。言い換えれば、各サブピクセル群２２０２において、一方のサブピクセルＢと一方のサブピクセルＣは、サブピクセル群２２０２の左部分にあり、他方のサブピクセルＢと他方のサブピクセルＣは、サブピクセル群２２０２の右部分にあり、２つのサブピクセルＡは、サブピクセル群２２０２の中央にある。各サブピクセル群２２０２において、２つのサブピクセルＢは、同じサイズと形状とを有し、２つのサブピクセルＣもまた、同じサイズと形状とを有する。
【００５５】
この実施形態において、各サブピクセル群２２０２において、一方のサブピクセルＢは、２つのサブピクセルＡの左側で垂直方向に沿って一方のサブピクセルＣに位置合わせされ、他方のサブピクセルＢは、２つのサブピクセルＡの右側で垂直方向に沿って他方のサブピクセルＣに位置合わせされる。２つのサブピクセルＢは水平方向に沿って位置合わせされ、２つのサブピクセルＣも同様に水平方向に沿って位置合わせされる。言い換えれば、同じ色の２つのサブピクセル（すなわち、ＢとＢ又はＣとＣ）は、水平方向に互いに面一に配置され、異なる色の２つのサブピクセル（すなわち、ＢとＣ）は、垂直方向に互いに面一に配置される。２つのサブピクセルが異なるサイズ及び／又は形状を有する場合であっても、２つのサブピクセルの中心が垂直方向又は水平方向に位置合わせされているならば、それらは「位置合わせ」していると見なされることは理解される。
【００５６】
この実施形態において、各サブピクセル群２２０２は、２つのピクセル２２０４、２２０６に分割され、２つのピクセル２２０４、２２０６の各々は、第１色Ａの２つのサブピクセルのうちの一方と第２色Ｂの２つのサブピクセルのうちの一方と第３色Ｃの２つのサブピクセルのうちの一方とを含む。図２２に示すように、サブピクセル群２２０２は、一方のピクセル２２０４に対応する左部分と別のピクセル２２０６に対応する右部分とに均等に分割される。
【００５７】
この実施形態において、各サブピクセルは１つのＯＬＥＤに対応し、各サブピクセル群２２０２に関して、第１色（例えば、青又は赤）の２つのＯＬＥＤは同じ形状とサイズを有し、図５に関して上述したのと同様に同じ有機発光層を共有する。この実施形態での各ＯＬＥＤは、実質的に矩形の形状を有する。しかし、他の例での各サブピクセルの形状は変更可能であると理解される。サブピクセルの他の形状には、以下に限定されるものではないが、実質的に円形、三角形、四角形、五角形、六角形、七角形、八角形、又はいずれかの他の適切な形状が含まれる。サブピクセルはＯＬＥＤに限定されることなく、例えば、ＬＥＤランプ付き掲示板ディスプレイ、又は当業技術で公知のいずれかの他の適切なディスプレイデバイスのＬＥＤとすることができるということは理解される。
【００５８】
図２３は、本発明の開示に示す一実施形態によるＯＬＥＤディスプレイのサブピクセル配置の更に別の例を示している。図２３は、例えば、ディスプレイ１０２の平面図とすることができ、ディスプレイ１０２のサブピクセル配置の一例を表している。ディスプレイ１０２は、サブピクセル群２３０２のアレイ２３００を含む。この実施形態での各サブピクセル群２３０２は、５つのサブピクセルを含み、第１色Ａに１つのサブピクセル、第２色Ｂに２つのサブピクセル、及び第３色Ｃに２つのサブピクセルを含む。図２３のＡ、Ｂ、及びＣは、例えば、以下に限定されるものではないが、赤、緑、青、黄、シアン、マゼンタ、又は白色のような３つの異なる色を意味する。一例では、第１色Ａは青であり、第２及び第３色のＢ、Ｃは、緑及び赤である。アレイ２３００の各列にあるサブピクセル群２３０２は、水平方向に沿って繰り返される。アレイ２３００の各列にあるサブピクセル群２３０２は、アレイ２３００の隣接する列内のサブピクセル群２３０２に対して互い違いにされる。言い換えれば、隣接する列のサブピクセル群２３０２は、水平方向に沿って互い違いである。この実施形態において、インターバル列のサブピクセル群２３０２は、垂直方向に沿って位置合わせされる。すなわち、各奇数列にあるサブピクセル群２３０２は、垂直方向に位置合わせされており、各偶数列にあるサブピクセル群２３０２も、垂直方向に位置合わせされる。言い換えると、各列のサブピクセル群２３０２は、反復して配置され、隣接する列のサブピクセル群２３０２は、例えば、反復ピッチの１／２だけ互いからずらして配置される。別の例では、第１色Ａは赤であり、第２及び第３色のＢ、Ｃは、緑及び青である。
【００５９】
この実施形態において、５つのサブピクセルＡ、Ｂ、Ｂ、Ｃ、及びＣは、各サブピクセル群２３０２において同じパターンに配置される。各サブピクセル群２３０２に関して、第２色Ｂの２つのサブピクセルは、垂直方向に沿って第１色Ａのサブピクセルと同じ側にある。言い換えれば、２つのサブピクセルＢは、各サブセル群２３０２においてサブピクセルＡの上方にある。第３色に２つのサブピクセルは、水平方向に沿って第１色Ａのサブピクセルの異なる側にある。すなわち、水平方向において、サブピクセルＡは、２つのサブピクセルＣの間にある。各サブピクセル群２３０２において、２つのサブピクセルＢは同じサイズと形状とを有し、２つのサブピクセルＣも同様に同じサイズと形状とを有する。しかし、この実施形態において、サブピクセルＢのサイズ及び形状は、サブピクセルＣのサイズ及び形状とは異なるものとすることができる。
【００６０】
この実施形態において、各サブピクセル群２３０２において、２つのサブピクセルＢは水平方向に沿って互いに位置合わせされ、２つのサブピクセルＣも同様に水平方向に沿って互いに位置合わせされる。言い換えれば、同じ色の２つのサブピクセル（すなわち、ＢとＢ又はＣとＣ）は、水平方向に互いに面一に配置される。２つのサブピクセルが異なるサイズ及び／又は形状を有する場合であっても、２つのサブピクセルの中心が垂直方向又は水平方向に位置合わせされているならば、それらは「位置合わせ」していると見なされることは理解される。
【００６１】
この実施形態において、各サブピクセル群２３０２は、２つのピクセル２３０４、２３０６に分割され、２つのピクセル２３０４、２３０６の各々は、第２色Ｂの２つのサブピクセルのうちの一方と第３色Ｃの２つのサブピクセルのうちの一方と含み、第１色Ａのサブピクセルを共有する。図２３に示すように、サブピクセル群２３０２は、一方のピクセル２３０４に対応する左部分と別のピクセル２３０６に対応する右部分とに均等に分割される。
【００６２】
この実施形態において、各サブピクセルは１つのＯＬＥＤに対応し、各サブピクセル群２３０２において、第３色ＣのＯＬＥＤは、アレイ２３００の同じ列にある隣接するサブピクセル群２３０２の第３色ＣのそれぞれのＯＬＥＤと同じ有機発光層を共有する。この実施形態において、各サブセル群２３０２において、第２色Ｂの２つのＯＬＥＤは、図５に関して上述したのと同様に同じ有機発光層を共有する。各サブピクセル群２３０２において、第２色ＢのＯＬＥＤはまた、アレイ２３００の同じ列にある隣接するサブピクセル群２３０２の第２色ＢのそれぞれのＯＬＥＤと同じ有機発光層を共有する。すなわち、この実施形態において、アレイ２３００の同じ列にある第２色Ｂの全てのＯＬＥＤは、同じ有機発光層２３０８を共有しており、その有機発光層は、蒸着マスク上の「スリット」開口部を通して組み立てられる。
【００６３】
この実施形態での各ＯＬＥＤは、実質的に矩形の形状を有する。しかし、他の例での各サブピクセルの形状は変更可能であると理解される。サブピクセルの他の形状には、以下に限定されるものではないが、実質的に円形、三角形、四角形、五角形、六角形、七角形、八角形、又はいずれかの他の適切な形状が含まれる。サブピクセルはＯＬＥＤに限定されることなく、例えば、ＬＥＤランプ付き掲示板ディスプレイ、又は当業技術で公知のいずれかの他の適切なディスプレイデバイスのＬＥＤとすることができるということは理解される。
【００６４】
ディスプレイ上のサブピクセルレンダリングの方法の態様は、上記に概説したように、プログラミングに具現化することができる。この技術のプログラム態様は、典型的に、あるタイプの機械可読媒体上に担持されるか又はそれに具現化された実行可能なコード及び／又は関連データの形態での「製品」又は「製造物品」と考えることができる。有形非一時的「ストレージ」タイプ媒体は、ソフトウエアプログラミングのためにいつでもストレージを提供することができる様々な半導体メモリ、テープドライブ、及びディスクドライブなどのようなコンピュータ又はプロセッサなど又はそれらの関連モジュールのためのメモリ又は他のストレージのいずれか又は全てを含む。
【００６５】
ソフトウエアの全部又は各部分は、時にはインターネット又は様々な他の通信ネットワークのようなネットワーク上で通信することができる。このような通信は、例えば、１つのコンピュータ又はプロセッサから別のものへのソフトウエアのローディングを可能にすることができる。従って、ソフトウエア要素を有することができる別のタイプの媒体には、ローカルデバイス間の物理インタフェースにわたって、有線及び光電話回線のネットワークを通して、及び様々なエアリンクにわたって使用されるような光波、電波、及び電磁波が含まれる。有線リンク、無線リンク、又は光リンクなどのようなこのような波を伝える物理的要素も、ソフトウエアを有する媒体と見なすことができる。本明細書に使用される時に、有形「ストレージ」媒体に限定されない限り、コンピュータ又は機械「可読媒体」のような用語は、実行のためにプロセッサに命令を与えることに関わるあらゆる媒体を指す。
【００６６】
従って、機械可読媒体は、有形ストレージ媒体、搬送波媒体、又は物理的伝送媒体を含むがこれらに限定されない多くの形態を取ることができる。不揮発性ストレージ媒体には、例えば、いずれかのコンピュータ等におけるいずれかのストレージデバイスのような光学又は磁気ディスクが含まれ、これらを用いて図に示すシステム又はその構成要素のいずれかを実施することができる。揮発性ストレージ媒体には、そのようなコンピュータプラットフォームの主メモリのような動的メモリが含まれる。有形伝送媒体には、コンピュータシステム内のバスを形成するワイヤを含めて、同軸ケーブルの銅ワイヤ及び光ファイバが含まれる。搬送波伝送媒体は、電気又は電磁信号、又は無線周波数（ＲＦ）及び赤外線（ＩＲ）データの通信中に生成される音波又は光波の形態を取ることができる。従って、コンピュータ可読媒体の一般的な形態には、例えば、フロッピーディスク、フレキシブルディスク、ハードディスク、磁気テープ、いずれかの他の磁気媒体、ＣＤ−ＲＯＭ、ＤＶＤ又はＤＶＤ−ＲＯＭ、いずれかの他の光媒体、パンチカード紙テープ、穿孔パターンを有するいずれかの他の物理ストレージ媒体、ＲＡＭ、ＰＲＯＭ及びＥＰＲＯＭ、フラッシュＥＰＲＯＭ、いずれかの他のメモリチップ又はカートリッジ、搬送波移送のデータ又は命令、そのような搬送波を運ぶケーブル又はリンク、又はコンピュータがプログラミングコード及び／又はデータをそこから読み取ることのできるいずれかの他の媒体が含まれる。これらのコンピュータ可読媒体の形態の多くは、実行のためのプロセッサへの１又は２以上の命令の１又は２以上のシーケンスを担持することに関わる場合がある。
【００６７】
本発明の開示の上述の詳細説明及びそこに説明した例は、限定ではなく例示及び説明の目的で提示したものである。従って、本発明の開示は、上記に開示して本明細書に主張する基本的な根本原理の精神及び範囲に入るいずれかの及び全ての修正、変形、又は均等物を網羅するように考えられている。
【符号の説明】
【００６８】
ＢＬＵＥ  青色
ＧＲＥＥＮ  緑色
ＲＥＤ  赤色
【図１】
0006349406.tif 000003
【図２】
0006349406.tif 000004
【図３】
0006349406.tif 000005
【図４】
0006349406.tif 000006
【図５】
0006349406.tif 000007
【図６】
0006349406.tif 000008
【図７】
0006349406.tif 000009
【図８】
0006349406.tif 000010
【図９】
0006349406.tif 000011
【図１０】
0006349406.tif 000012
【図１１】
0006349406.tif 000013
【図１２】
0006349406.tif 000014
【図１３】
0006349406.tif 000015
【図１４】
0006349406.tif 000016
【図１５】
0006349406.tif 000017
【図１６】
0006349406.tif 000018
【図１７】
0006349406.tif 000019
【図１８】
0006349406.tif 000020
【図１９】
0006349406.tif 000021
【図２０】
0006349406.tif 000022
【図２１】
0006349406.tif 000023
【図２２】
0006349406.tif 000024
【図２３】
0006349406.tif 000025
【図２４】
0006349406.tif 000026
【図２５】
0006349406.tif 000027
【図２６】
0006349406.tif 000028